(57)【要約】【課題】容易にビューファインダーの位置決めが行え、さらにロック機構を設けることで激しい撮影に耐え、素早く運用が出来るビューファインダーの保持機構を提供する。【解決手段】ビデオカメラの上部後方に設けられたＶＦ保持部に装着され、水平方向に回転する回転台と、回転台に、ビューファインダーを円弧状の軌跡に沿って上下方向に回動させるためのリフト回転軸とビューファインダーの表示面の傾斜角を調節するチルト回転軸とが設けられる支持用アーム部材とを備え、支持用アーム部材のリフト位置またはチルト位置に拘わらず、任意の位置でフリーストップさせるとともに、リフト回転軸とチルト回転軸それぞれに、所定の位置で確実にロックさせるためのロック手段を備えた。【選択図】  図１
2011077778.tif 000002
【特許請求の範囲】
【請求項１】
ビデオカメラのビューファインダーの表示位置を調節するビューファインダーの保持機構であって、
前記ビデオカメラの上部後方に設けられた取付部に装着され、水平方向に回転する回転台と、前記回転台に、前記ビューファインダーを円弧状の軌跡に沿って上下方向に回動させるリフト回転軸と前記ビューファインダーの表示面の傾斜角を調節するチルト回転軸とが設けられる支持用アーム部材とを備え、前記支持用アーム部材のリフト位置またはチルト位置に拘わらず、任意の位置でフリーストップさせるとともに、前記リフト回転軸と前記チルト回転軸それぞれに、所定の位置で確実にロックさせるためのロック手段を備えたことを特徴とするビューファインダーの保持機構。
【発明の詳細な説明】
【技術分野】
【０００１】
本発明は、ビデオカメラ、またはテレビカメラ等に搭載されるビューファインダーの保持機構に関し、特に、ビューファインダーの位置決め、並びに固定を片手で容易に行うことができるビューファインダーの保持機構に関するものである。
【背景技術】
【０００２】
図６は、従来のビューファインダー保持機構をビデオカメラ本体に搭載した背面斜視図である。図６に示すように、ビデオカメラには、撮影する画像を視認するためのビューファンダーが備えられている。ビューファインダー１０３は、ビデオカメラのカメラ本体１の後方上部に設けられたＶＦ保持部１０４に取り付けられる回転台１０２ｃを備えたビューファインダー保持機構１０２にロックノブ１０２ｂを介して保持される。ビデオカメラのカメラ本体１にビューファインダー１０３を取り付けて運用する際には、ビューファインダー１０３に装着されたハンドル１０２ａを持ち、ビューファインダー保持機構１０２の左右両側のロックノブ１０２ｂをそれぞれ緩め、ビューファインダー１０３をカメラマンが意図する任意の位置に移動させた後、左右両側のロックノブ１０２ｂをそれぞれ締め込むことによってビューファインダー１０３の位置を固定させる。
【先行技術文献】
【特許文献】
【０００３】
【特許文献１】発見できなかった
【発明の概要】
【発明が解決しようとする課題】
【０００４】
しかし、前述の従来技術では、ビューファインダー１０３をあるアングルから別のアングルへ移動させる場合に、ロックノブ１０２ｂを緩め、ビューファインダー１０３を動かし、ロックノブ１０２ｂを締め込む
という一連の動作を繰り返さなくてはならず、いろいろなシーンでカメラアングルを変え素早く撮影するためにはビューファインダー自体のアングル変更に時間がかかるという問題があった。また、カメラアングル変更に伴う動作は片手で行う事ができないという問題があった。
【０００５】
本発明は、このような従来の事情に鑑みなされたものであり、容易にビューファインダーの位置決めが行え、さらにロック機構を設けることで激しい撮影に耐え、素早く運用が出来るビューファインダーの保持機構を提供することを目的とする。
【課題を解決するための手段】
【０００６】
上述した課題を解決し、目的を達成するため、本発明の請求項１に係る発明は、ビデオカメラのビューファインダーの表示位置を調節するビューファインダーの保持機構であって、前記ビデオカメラの上部後方に設けられた取付部に装着され、水平方向に回転する回転台と、前記回転台に、前記ビューファインダーを円弧状の軌跡に沿って上下方向に回動させるリフト回転軸と前記ビューファインダーの表示面の傾斜角を調節するチルト回転軸とが設けられる支持用アーム部材とを備え、前記支持用アーム部材のリフト位置またはチルト位置に拘わらず、任意の位置でフリーストップさせるとともに、前記リフト回転軸と前記チルト回転軸それぞれに、所定の位置で確実にロックさせるためのロック手段を備えたことを特徴とする。
【発明の効果】
【０００７】
本発明によれば、通常運用ではロックレバーを使用せず、バネを用いたフリーストップ機構により片手操作でビューファインダーを任意の位置にストップさせることが出来、素早いカメラアングル変更時でも簡単にビューファインダーアングルの変更が可能となり、また、激しいカメラワークでもロックレバーにより確実にビューファインダー位置の固定が可能となるという効果がある。
【図面の簡単な説明】
【０００８】
【図１】本発明の一実施形態のビューファインダー保持機構をビデオカメラ本体に搭載した背面斜視図であり、（ａ）は背面左側斜視図、（ｂ）は背面右側斜視図である。
【図２】本発明の一実施形態のビューファインダー保持機構の分解斜視図である。
【図３】図１（ｂ）のＡ−Ａで切断した場合の背面右側斜視図である。
【図４】本発明の一実施形態のビューファインダー保持機構のチルト回転方向ｃ、リフト回転方向ｄ、及びリフト保持方向ｇを説明するための側面図である。
【図５】（ａ）は図４のＢ矢視図であり、（ｂ）は（ａ）のＣ部拡大図であり、また、（ｃ）は（ａ）のＤ部拡大図である。
【図６】従来のビューファインダー保持機構をビデオカメラ本体に搭載した背面斜視図である。
【発明を実施するための形態】
【０００９】
以下に、本発明の一実施形態のビューファインダー保持機構について、図１、図２、図３、図４、及び図５を参照しながら説明する。
図１は、本発明の一実施形態のビューファインダー保持機構をビデオカメラ本体に搭載した背面斜視図であり、（ａ）は背面左側斜視図、（ｂ）は背面右側斜視図である。また、図２は、本発明の一実施形態のビューファインダー保持機構の分解斜視図である。また、図３は、図１（ｂ）のＡ−Ａで切断した場合の背面右側斜視図である。また、図４は、本発明の一実施形態のビューファインダー保持機構のチルト回転方向ｃ、リフト回転方向ｄ、及びリフト保持方向ｇを説明するための側面図である。また、図５の（ａ）は、図４のＢ矢視図であり、図５の（ｂ）は、（ａ）のＣ部拡大図であり、また、図５の（ｃ）は、（ａ）のＤ部拡大図である。
【００１０】
図１に示すように、本発明の一実施形態のビューファインダー保持機構をビデオカメラ本体に搭載したビデオカメラは、カメラ本体１と、カメラ本体１の後方上部に設けられたＶＦ保持部４に取り付けられる回転台２ｃを備えたビューファインダー保持機構２と、ビューファインダー保持機構２のチルト回転部２ｂに保持されるビューファンダー３とで構成される。
また、ビデオカメラのカメラ本体１に搭載されたビューファインダー３のアングルを変更する際には、ビューファインダー３に装着されたハンドル３ａを片手で持ち、前後、上下方向にカメラマンが意図する任意の位置に移動させた後手を離せば、所定のトルクがリフト回転部２ａとチルト回転部２ｂにかかり、ビューファインダー３の位置を固定することができる。
【００１１】
ここで、本発明の一実施形態のビューファインダー保持機構の構造および動作について図１、図２及び図３を用いて説明する。
図２、図３に示すように、本発明のビューファインダー保持機構２は、カメラ本体１のＶＦ保持部４にビューファインダー保持機構２を取り付けるための回転台２ｃと、リフト回転部２ａを形成するための軸受部６ａを左右対称に備えたＶＦ保持機構ベース６と、左右対称形状のＶＦリフト用アーム７を備える。更に、前記軸受部６ａとＶＦリフト用アーム７とともにリフト回転部２ａを形成するために、リフト保持バネ９と、リフト用ブレーキ板１０と、リフト回転用ブレーキバネ１１と、リフト軸１２とを左右に備え、また、リフト軸押し付け板１３と、ロックレバー１４とを右側のみに備えた構成となっている。
また、ＶＦリフト用アーム７とともにチルト回転部２ｂを形成するために、ＶＦ取付板１５と、チルト用ブレーキ板１６と、チルト回転用ブレーキバネ１７と、チルト軸１８とを左右に備え、また、チルト軸押し付け板１９と、ロックレバー２０とを右側のみに備えた構成となっている。
【００１２】
図４に示すように、ビューファインダー３のハンドル３ａを持ちビューファインダー３を任意の位置に可動させた時、リフト方向に対して、リフト回転用ブレーキバネ１１がＶＦ保持機構ベース６とＶＦリフト用アーム７の間にはさまり、リフト回転用ブレーキバネ１１のたわみ（押し圧）分だけブレーキとして働く。さらにリフト保持バネ９により、リフト保持方向ｇの力が働きブレーキ力をサポートしている。(左右共通)
【００１３】
また、チルト方向に対して、チルト回転用ブレーキバネ１７がＶＦ取付板１５とＶＦリフト用アーム７の間にはさまり、チルト回転用ブレーキバネ１７の
たわみ（押し圧）分だけブレーキとして働く。(左右共通)
【００１４】
更に、完全な位置固定では、図５（ｃ）に示すように、ＶＦリフト用アーム７はＶＦ保持機構ベース６とＶＦ取付板１５に対してリフト回転用ブレーキバネ１１によりほんの少しだけリフト部隙間ｆが開くように設定されている。このリフト部隙間ｆをリフト軸押し付け板１３に固定されたロックレバー１４によりリフト用ブレーキ板１０が取り付けられたＶＦリフト用アーム７をＶＦ保持機構ベース６に押し付け、リフト用ブレーキ板１０とＶＦ保持機構ベース６との摩擦により確実にロックさせることが出来る。（右側のみ）
【００１５】
また、図５（ｂ）に示すように、チルトではＶＦリフト用アーム７はＶＦ取付板１５に対してチルト回転用ブレーキバネ１７によりほんの少しだけチルト部隙間ｅが開くように設定されている。このチルト部隙間ｅをチルト軸押し付け板１９に固定されたロックレバー２０によりチルト用ブレーキ板１６が取り付けられたＶＦリフト用アーム７をＶＦ取付板１５に押し付け、チルト用ブレーキ板１６とＶＦ取付板１５との摩擦により確実にロックさせることが出来る。（右側のみ）
【００１６】
以上説明したように、本発明により、通常運用ではロックレバーを使用せず、バネを用いたフリーストップ機構により片手操作でビューファインダーを任意の位置にストップさせることが出来、素早いカメラアングル変更時でも簡単にビューファインダーアングルの変更が可能となる。また、激しいカメラワークでもロックレバーにより確実にビューファインダー位置の固定が可能となる。
【符号の説明】
【００１７】
１：カメラ本体、２：ビューファインダー保持機構、２ａ：リフト回転部、２ｂ：チルト回転部、２ｃ：回転台、３：ビューファインダー、３ａ：ハンドル、４：ＶＦ保持部、５：回転台、６：ＶＦ保持機構ベース、６ａ：軸受部、７：ＶＦリフト用アーム、９：リフト保持バネ、１０：リフト用ブレーキ板、１１：リフト回転用ブレーキバネ、１２：リフト軸、１３：リフト軸押し付け板、１４：ロックレバー、１５：ＶＦ取付板、１６：チルト用ブレーキ板、１７：チルト回転用ブレーキバネ、１８：チルト軸、１９：チルト軸押し付け板、２０：ロックレバー、１０２：ビューファインダー保持機構、１０２ａ：ハンドル、１０２ｂ：ロックノブ、回転台：１０２ｃ、１０３：ビューファインダー、１０４：ＶＦ保持部。
【図１】
2011077778.tif 000003
【図２】
2011077778.tif 000004
【図３】
2011077778.tif 000005
【図４】
2011077778.tif 000006
【図５】
2011077778.tif 000007
【図６】
2011077778.tif 000008